(57)【要約】【課題】  本発明は、灯油等のポリタンクの底面を傾斜させて形成し、最低端部に液体の筒状の滞留部を設け、この滞留部に排液口を設けたポリタンクを提供する。傾斜底とその先端部の滞留部や滞留溝は、平面上の液体を一部に集める効果はあるが、電動ポンプ等を利用して吸い上げるには、滞留部や滞留溝の面積が広すぎるため十分に吸い上げられずに液体が残ってしまう。【解決手段】  ポリタンクの底面を傾斜形成し、その最低端部に筒状の滞留部を設け、更に滞留部に排液口を開口形成し、この排液口は廃液口キャップで脱着開閉できるように形成することを特徴とする滞留部排液口付き傾斜底ポリタンク。【選択図】    図１
2017071410.tif 000002
【特許請求の範囲】
【請求項１】
ポリタンクの底面を傾斜底で形成し、その最低端部に筒状の滞留部を設け、更に滞留
部には排液口を開口形成し、この排液口は廃液口キャップで脱着開閉できるように形成することを特徴とする滞留部排液口付き傾斜底ポリタンク。
【請求項２】
前記底面に最低端が滞留部と繋がるように誘導部を一部以上形成し液体を滞留部へ誘導することを特徴とする請求項１記載の容器。
【請求項３】
前記底面を連続する凹面又は凸面で滞留部向かって低くなるように傾斜をつけて形成することを特徴とする請求項１記載の容器。
【請求項４】
請求項３の底面に請求項２の誘導部を設けた請求項１または請求項２記載または請求項３の容器。
【発明の詳細な説明】
【技術分野】
【０００１】
ポリタンクの底面を傾斜形成し、その最低端部に筒状の滞留部を設け、更に滞留部に
排液口を開口形成し、この排液口は廃液口キャップで脱着開閉できるように形成する滞留部排液口付き傾斜底ポリタンクに関するものである。
【背景技術】
【０００２】
従来、灯油等を入れるポリタンクの底は、一方側から他方側に向に液体が流れるように傾斜をつけ、その先端底部に油溜部又は段差を設けた滞留溝等を構成した形状で形成するものがある。（特許文献１参照）（特許文献２参照）（特許文献３参照）。
【０００３】
また、平面に膨出部等の凹凸をつけた形状の一部を最低面と同一面で形成したものもある（特許文献４参照）
【先行技術文献】
【特許文献】
【０００４】
【特許文献１】実開昭６３―０１７０３８号公報
【特許文献２】特開平０７―３０９３２１号公報
【特許文献３】特開平１１―０２９１２８号公報
【特許文献４】特開２０１１―２３０８４７号公報
【発明の概要】
【発明が解決しようとする課題】
【０００５】
そのため、次のような問題があった。
傾斜底とその先端部の滞留部や滞留溝は、平面上の液体を一部に集める効果はあるが、電動ポンプ等を利用して吸い上げるには、滞留部や滞留溝の面積が広すぎるため十分に吸い上げられずに液体が残ってしまう。
【０００６】
また、平面底の場合、油留部等に残溜した液体を吸い上げるには、ポリタンクを手などで斜めに維持し一箇所に液体を集めてポンプ等を利用して吸い上げなければならない。
本発明は、これらの問題点を解決するためになされたものである。
【課題を解決するための手段】
【０００７】
ポリタンクの底面を傾斜底で形成し、その最低端部に筒状の滞留部を設け、更に滞留
部には排液口を開口形成し、更にこの排液口は廃液口キャップで脱着できるように形成する。
以上を特徴とする滞留部排液口付き傾斜底ポリタンクである。
【発明の効果】
【０００８】
ポリタンクに入れた灯油等の液体を電動ポンプ等で吸い上げる時、残りが少なくなっても残留液体を集めるためにポリタンクを手などで斜めにし、斜めの状態を維持させるなどしなくても、残留液体は自然に傾斜に添って滞留部に集まるため、電動ポンプの吸上限界位置まで容易に吸い上げられるようになった。また、未吸上の残留液体も滞留部が電動ポンプ等の先端部を収納されるにたりる大きさであるため、僅かに残るだけとなり効率よくポリタンクの液体を利用できるようになる。
【０００９】
更に、吸い上げられずに残ってしまう液体は、滞留部の排液口キャップをはずし開口することで排出することができるようになる。
【図面の簡単な説明】
【００１０】
【図１】本発明の横方向正面から見た断面図
【図２】本発明の真上方向から見た底面図
【図３】本発明の横方向正面から見た使用状態を示す断面図
【発明を実施するための形態】
【００１１】
以下、本発明の実施の形態について説明する。
図１は、本発明の一実施例である。本体１の上面には、従来の灯油等のポリタンク同様に注入出口Ａ２及び注入出口Ｂ３を開口形成し、それぞれキャップＡ４及びキャップＢ５を用い脱着開閉する。
【００１２】
ポリタンク本体１の底面６は、本体１の垂直面Ａ７側から垂直面Ｂ８側に向かって低くなるように傾斜をつけて形成する。
【００１３】
底面６には、垂直面Ｂ８側の注入出口Ａ２の直下付近に底面６の傾斜を流れた液体が最終的に流れこむ筒状の滞留部９を設ける。この滞留部９は、電動ポンプ先端部１５が納められる大きさで、且つできるだけ小さいことが望ましい。また、この滞留部９は、電動ポンプ先端部１５の吸上限界位置１６より深くなるように形成する。
【００１４】
また、底面６と垂直面Ｂ８が接する底面最低端には、液体を滞留部９に誘導するよう滞留部９に向かい低くなるよう誘導部１０を設ける。
【００１５】
更に、滞留部９の最下部には、排液口１１を開口成形し、排液口キャップ１２で脱着開閉できるようにする。
【００１６】
底面６の下部は、本体１と一体に脚部１３を形成する。脚部１３は、排液口キャップ１２の最下面と同一平面又は、排液口キャップ１２の最下面と接しない高さで形成する。
本発明は、以上のような構成である。
【００１７】
これを使用するときは、灯油等の液体を入れたポリタンク本体１の注入出口Ａ２のキャップＡ４をはずし、注入出口Ａ２に電動ポンプ本体１４を挿入し、電動ポンプ先端部１５を滞留部９に納め前述ポンプ等の機能により灯油等の液体を吸い出し移す。
【００１８】
残量が少なくなった灯油等の液体は、底面６の傾斜に沿って低い方向に自然に流れ、最後は誘導部１０を伝って筒状の滞留部９に到達する。そのため滞留部９の電動ポンプ先端部１５の吸上限界位置１６まで吸い上げることができ、この吸上限界位置１６より低い位置に留まる灯油等の液体は、筒状の滞留部９に僅かに残るだけとなる。
【００１９】
滞留部９に僅かに残った灯油等の液体は、排液口１１の排液口キャップ１２を外すことで排出することができる。
【００２０】
以下、その他の実施例を示す。
排液口１１は非開口とし、廃液口なしの滞留部９として形成してもよい。
【００２１】
底面６は、垂直面Ａ７側から垂直面Ｂ８側に向かって１本以上の誘導部１０を最低端が滞留部９と繋がるように形成し液体を滞留部９へ誘導し、且つ底面６にかかる圧力を分散させ、強度を確保することができる。
【００２２】
また、底面６は、連続する凹面又は凸面１７を滞留部９向かって低くなるように傾斜をつけて形成し、底面６にかかる圧力を分散させ、強度を確保してもよい。
【符号の説明】
【００２３】
１本体   
２注入出口Ａ 
３注入出口Ｂ 
４キャップＡ 
５キャップＢ
６底面    
７垂直面Ａ
８垂直面Ｂ
９滞留部    
１０誘導部    
１１排液口    
１２排液口キャップ    
１３脚部    
１４電動ポンプ本体    
１５電動ポンプ先端部   
１６吸上限界位置
１７凹面又は凸面 
【図１】
2017071410.tif 000003
【図２】
2017071410.tif 000004
【図３】
2017071410.tif 000005